(57)【要約】【課題】景観演出用の照明制御に関して、ユーザが手軽に楽しむことができかつ導入容易な照明制御装置を提供する。【解決手段】照明制御装置（１）は、インターネット（４）に接続して所定のＳＮＳサイトにアクセス可能な通信部（１０）と、ＳＮＳサイトにアップロードされた投稿のうち所定条件の投稿を処理対象投稿として検索及び取得する投稿取得部（２１）と、処理対象投稿のメッセージに含まれるテキスト又は画像に基づいて照明パターンを決定する照明決定部（２２）と、照明決定部によって決定された照明パターンを景観照明用の照明器具（２）に実行させるための照明制御信号を照明器具に出力する信号出力部（３０）とを備える。【選択図】  図１
2018049765.tif 000002
【特許請求の範囲】
【請求項１】
照明制御装置であって、
インターネットに接続して所定のＳＮＳサイトにアクセス可能な通信部と、
前記ＳＮＳサイトにアップロードされた投稿のうち所定条件の投稿を処理対象投稿として検索及び取得する投稿取得部と、
前記処理対象投稿のメッセージに含まれるテキスト又は画像に基づいて照明パターンを決定する照明決定部と、
前記照明決定部によって決定された前記照明パターンを景観照明用の照明器具に実行させるための照明制御信号を前記照明器具に出力する信号出力部と
を備えた照明制御装置。
【請求項２】
複数のキーワードと複数の照明パターンとを対応付けた照明パターンリストが記憶された記憶部をさらに備え、
前記テキストが前記複数のキーワードの少なくとも１つのキーワードを含む場合に、前記照明決定部が、当該少なくとも１つのキーワードに対応する前記照明パターンを決定するように構成された、請求項１に記載の照明制御装置。
【請求項３】
前記照明決定部が、前記画像の色度に基づいて前記照明パターンを決定するように構成された、請求項１に記載の照明制御装置。
【請求項４】
前記投稿取得部が、前記照明器具の照明対象物に関連するワードをメッセージに含む投稿を前記処理対象投稿として検索及び取得するように構成された、請求項１から３のいずれかの一項に記載の照明制御装置。
【請求項５】
予め設定された特定アカウントの情報を取得するアカウント情報取得部をさらに備え、
前記投稿取得部が、取得された前記特定アカウントの投稿のみを前記処理対象投稿として検索及び取得するように構成された、請求項１から３のいずれか一項に記載の照明制御装置。
【請求項６】
予め設定された地理的範囲である特定区域の情報を取得する区域情報取得部をさらに備え、
前記投稿取得部が、取得された前記特定区域内の位置を示すＧＰＳ情報を有する投稿を前記処理対象投稿として検索及び取得するように構成された、請求項１から３のいずれか一項に記載の照明制御装置。
【請求項７】
予め設定された正解ワードを取得する正解ワード取得部をさらに備え、
前記投稿取得部が、取得された前記正解ワードを前記テキスト又は前記画像とともに前記メッセージに含む投稿を前記処理対象投稿として検索及び取得するように構成された、請求項１から３のいずれか一項に記載の照明制御装置。
【請求項８】
前記ＳＮＳサイト上に提示された複数の選択肢の各々に対する同意数を取得し、前記複数の選択肢のうちの最多の同意数を獲得した選択肢に同意したユーザを制御ユーザとして特定する制御ユーザ特定部をさらに備え、
前記投稿取得部が、前記制御ユーザからの投稿のみを前記処理対象投稿として検索及び取得するように構成された、請求項１から３のいずれか一項に記載の照明制御装置。
【請求項９】
照明制御装置であって、
インターネットに接続して所定のＳＮＳサイトにアクセス可能な通信部と、
前記ＳＮＳサイト上で所定期間内に最も多く出現する最多検索ワードを抽出する話題抽出部と、
前記最多検索ワードに基づく照明パターンを決定する照明決定部と、
前記照明決定部によって決定された前記照明パターンを景観照明用の照明器具に実行させるための照明制御信号を前記照明器具に出力する信号出力部と
を備えた照明制御装置。
【請求項１０】
前記照明制御信号が、ＤＭＸ５１２又はＤＡＬＩに準拠する信号である、請求項１から９のいずれか一項に記載の照明制御装置。
【請求項１１】
請求項１から１０のいずれか一項に記載の照明制御装置と、前記照明器具とを備えた照明装置。
【請求項１２】
コンピュータを、請求項１から１１のいずれか一項に記載の照明制御装置が備える各部として機能させるためのプログラム。
【請求項１３】
請求項１２に記載されたプログラムが記憶されたコンピュータ可読記憶媒体。
【請求項１４】
通信部、ＣＰＵ及び信号出力部を備える照明制御装置における照明制御方法であって、
前記通信部が、インターネットに接続して所定のＳＮＳサイトにアクセスするステップと、
前記ＣＰＵが、前記ＳＮＳサイトにアップロードされた投稿のうち所定条件の投稿を処理対象投稿として検索及び取得するステップと、
前記ＣＰＵが、前記処理対象投稿のメッセージに含まれるテキスト又は画像に基づいて照明パターンを決定するステップと、
前記信号出力部が、決定された前記照明パターンを景観照明用の照明器具に実行させるための照明制御信号を前記照明器具に出力するステップと
を備える照明制御方法。
【請求項１５】
通信部、ＣＰＵ及び信号出力部を備える照明制御装置における照明制御方法であって、
前記通信部が、インターネットに接続して所定のＳＮＳサイトにアクセスするステップと、
前記ＣＰＵが、前記ＳＮＳサイト上で所定期間内に最も多く出現する最多検索ワードを抽出するステップと、
前記ＣＰＵが、前記最多検索ワードに基づいて照明パターンを決定するステップと、
前記信号出力部が、決定された前記照明パターンを景観照明用の照明器具に実行させるための照明制御信号を前記照明器具に出力するステップと
を備える照明制御方法。
【発明の詳細な説明】
【技術分野】
【０００１】
本発明は、景観演出用の照明制御のための照明制御装置並びにそれに関連する照明装置、照明制御プログラム及び照明制御方法に関する。
【背景技術】
【０００２】
特許文献１は、自然現象の変動、人間の動作等のライブ動作情報をリアルタイムで光の動作として表現するライトアップシステムを開示する。このシステムでは、多数の色調変化自在な照明器具からなる表示部が高層ビル等の建造物の上層部に設けられ、外部環境から与えられるライブ動作情報に応じて照明器具の色調がリアルタイムに変更される。このシステムは、ライブ動作情報を感知するセンシング要素と、センシング要素から与えられるライブデータ情報に基づいて演出効果信号をリアルタイムに発生する制御手段と、演出効果信号に応じて表示部における多数の照明器具の色調を調光する調光手段とを備える。同文献の開示によると、人間の動作のライブ動作情報は人手のタッチ動作又は音声であり、センシング要素は接触検知センサ又は音声検知センサである。制御手段は、接触検知センサ又は音声検知センサが検知したタッチ動作情報又は音声情報に基づいて演出効果信号を発生する。触覚検知センサは、表示部の形態を擬態した縮小モデルである擬態表示部を有するオブジェに設置される。また、音声検知センサは、マイクロフォン、携帯電話等である。
【先行技術文献】
【特許文献】
【０００３】
【特許文献１】特開２００５−２０９５５５号公報
【発明の概要】
【発明が解決しようとする課題】
【０００４】
しかし、上記ライトアップシステムは、擬態表示部を有するオブジェに設置された触覚検知センサ又は携帯電話におけるアプリケーション（いわゆるアプリ）といったような専用のセンサ又はアプリを必要とする。したがって、ユーザは、上記オブジェの場所に出向くか、自身の通信端末に専用のアプリをインストールする必要があり、手軽にライトアップを楽しむことができない。また、システムの管理者においても、専用のセンシング要素及び制御手段、すなわち、上記オブジェ、アプリ、グラフィカルユーザインターフェース（ＧＵＩ）等を導入する必要があり、その導入に要するコスト、労力等がシステム導入の障壁となり得る。
【０００５】
そこで、本発明は、景観演出用の照明制御に関して、ユーザが手軽に楽しむことができかつ導入容易な照明制御装置並びにそれに関連する照明装置、照明制御プログラム及び照明制御方法を提供することを課題とする。
【課題を解決するための手段】
【０００６】
本発明の第１から第５の形態による照明制御装置は、インターネットに接続して所定のＳＮＳサイトにアクセス可能な通信部と、ＳＮＳサイトにアップロードされた投稿のうち所定条件の投稿を処理対象投稿として検索及び取得する投稿取得部と、処理対象投稿のメッセージに含まれるテキスト又は画像に基づいて照明パターンを決定する照明決定部と、照明決定部によって決定された照明パターンを景観照明用の照明器具に実行させるための照明制御信号を照明器具に出力する信号出力部とを備える。
【０００７】
上記構成によると、投稿取得部がＳＮＳサイトから処理対象投稿を取得し、照明決定部が処理対象投稿のテキスト又は画像に基づいて景観照明用の照明パターンを決定する。このように、専用のセンサ、アプリ等を要することなく、一般的に普及しているＳＮＳでの投稿に基づいて照明対象物に対する照明パターンが決定されるので、ユーザはＳＮＳを介して手軽に照明制御に参加して景観演出を楽しむことができる。また、照明対象物の施設管理者においても、専用のセンサ、アプリ、ＧＵＩ等の導入が不要である。したがって、景観演出用の照明制御に関して、ユーザが手軽に楽しむことができかつ導入容易な照明制御装置が実現される。
【０００８】
さらに、複数のキーワードと複数の照明パターンとを対応付けた照明パターンリストが記憶された記憶部が設けられ、テキストが複数のキーワードのうちの少なくとも１つのキーワードが含まれる場合に、照明決定部は当該少なくとも１つのキーワードに対応する照明パターンを決定するように構成される。これにより、ＳＮＳユーザは、投稿テキストによる直接的な色彩表現によって容易かつ具体的に照明パターンを指示して景観演出を楽しむこともできるし、投稿テキストによる間接的な示唆によって容易かつ感覚的に照明パターンを具体化又は抽象化して景観演出を楽しむこともできる。
【０００９】
また、照明決定部は、メッセージに含まれる画像の色度に基づいて照明パターンを決定するように構成される。これにより、ＳＮＳユーザは、投稿写真、イラスト等によって容易かつ直感的に照明パターンを指示して景観演出を楽しむことができる。
【００１０】
第１の形態の照明制御装置では、投稿取得部は、照明器具の照明対象物に関連するワードをメッセージに含む投稿を処理対象投稿として検索及び取得するように構成される。これにより、その照明対象物に関心のある多数のＳＮＳユーザが容易に照明対象物の景観演出を楽しむことができる。
【００１１】
第２の形態の照明制御装置では、予め設定された特定アカウントの情報を取得するアカウント情報取得部が設けられ、投稿取得部は、取得された特定アカウントの投稿のみを処理対象投稿として検索及び取得するように構成される。これにより、特定アカウントのＳＮＳユーザにプライベート感のある景観演出照明を提供することができ、エンターテインメント性が拡張される。
【００１２】
第３の形態の照明制御装置では、予め設定された地理的範囲である特定区域の情報を取得する区域情報取得部が設けられ、投稿取得部は、取得された特定区域内の位置を示すＧＰＳ情報を有する投稿を処理対象投稿として検索及び取得するように構成される。これにより、処理対象投稿が地理的範囲に従って制限され、より効率的な投稿処理が可能となる。また、投稿可能なＳＮＳユーザの地理的範囲を照明対象物付近に制限することによって、その場の雰囲気をより的確に表現する景観演出照明が実現される。
【００１３】
第４の形態の照明制御装置では、予め設定された正解ワードを取得する正解ワード取得部が設けられ、投稿取得部が、取得された正解ワードをテキスト又は画像とともにメッセージに含む投稿を処理対象投稿として検索及び取得するように構成される。これにより、クイズ等を利用して処理対象投稿を正答ユーザからの投稿に制限することができ、エンターテインメント性を高めつつも効率的な投稿処理が可能となる。
【００１４】
第５の形態の照明制御装置では、ＳＮＳサイト上に提示された複数の選択肢の各々に対する同意数を取得し、複数の選択肢のうちの最多の同意数を獲得した選択肢に同意したユーザを制御ユーザとして特定する制御ユーザ特定部が設けられ、投稿取得部は、制御ユーザからの投稿のみを処理対象投稿として検索及び取得するように構成される。これにより、処理対象投稿が最多得票選択肢に寄与したＳＮＳユーザからの投稿に制限され、エンターテインメント性を高めつつも効率的な投稿処理が可能となる。
【００１５】
第６の形態の照明制御装置は、インターネットに接続して所定のＳＮＳサイトにアクセス可能な通信部と、ＳＮＳサイト上で所定期間内に最も多く出現する最多検索ワードを抽出する話題抽出部と、最多検索ワードに基づいて照明パターンを決定する照明決定部と、照明決定部によって決定された照明パターンを景観照明用の照明器具に実行させるための照明制御信号を照明器具に出力する信号出力部とを備える。
【００１６】
上記構成によると、ＳＮＳ上の最多検索ワードに基づいて照明パターンが決定される。これにより、その時々で旬な話題が照明パターンに反映され、照明対象物を眺望可能な勤務者、住民、通勤者、通行人等（ＳＮＳユーザであるか否かを問わず広義のユーザ）がその照明対象物の景観演出を楽しむことができる。また、照明対象物の施設管理者においては、専用のアプリ、ＧＵＩ等の導入が不要である。したがって、景観演出用の照明制御に関して、種々のユーザが手軽に楽しむことができかつ導入容易な照明制御装置が実現される。
【００１７】
第１から第６の形態の照明制御装置において、照明制御信号は、ＤＭＸ５１２又はＤＡＬＩに準拠する信号であることが好ましい。これにより、ＤＭＸ５１２を利用する既存の照明器具に対して本発明の照明制御装置を適用することができ、照明制御装置の導入容易性が高まる。
【００１８】
また、本発明は、上記照明制御装置及び照明器具を備えた照明装置を含む。また、本発明は、コンピュータを、上記照明制御装置が備える各部として機能させるための照明制御プログラムを含む。さらに、本発明は、その照明制御プログラムが記憶されたコンピュータ可読記憶媒体も含む。またさらに、本発明は、上記照明制御装置の各部の処理を実行するステップを備える照明制御方法も含む。
【図面の簡単な説明】
【００１９】
【図１】第１の実施形態による照明制御装置のブロック図である。
【図２Ａ】第１の実施形態の照明制御装置の動作を示すフローチャートである。
【図２Ｂ】第１の実施形態の照明制御装置の動作を示すフローチャートである。
【図３】第２の実施形態による照明制御装置のブロック図である。
【図４】第２の実施形態の照明制御装置の動作を示すフローチャートである。
【図５】第３の実施形態による照明制御装置のブロック図である。
【図６】第３の実施形態の照明制御装置の動作を示すフローチャートである。
【図７】第４の実施形態による照明制御装置のブロック図である。
【図８】第４の実施形態の照明制御装置の動作を示すフローチャートである。
【図９】第５の実施形態による照明制御装置のブロック図である。
【図１０】第５の実施形態の照明制御装置の動作を示すフローチャートである。
【図１１】第６の実施形態による照明制御装置のブロック図である。
【図１２】第６の実施形態の照明制御装置の動作を示すフローチャートである。
【発明を実施するための形態】
【００２０】
＜第１の実施形態＞
図１に、本発明の第１の実施形態による照明制御装置１のブロック図を示す。照明制御装置１は、景観演出用の照明を制御するためのものであり、例えば、照明対象物のライトアップ等の夜間景観演出用の照明を制御するためのものである。ただし、本開示の技術は、景観に影響を与えるものであれば夜間照明以外の景観演出照明にも適用可能である。本開示のシステムは、照明制御装置１、照明器具２−１〜２−ｎ（本実施形態ではｎ＝３）、インターネット４、ＳＮＳサーバ５、ユーザ端末６及び管理者端末７によって構成される。照明制御装置１及び照明器具２−１〜２−ｎが照明装置を構成し、照明器具２−１〜２−ｎの設置数は適宜設定され得る。以降の説明において、照明器具２−１〜２−ｎを総称して、又はいずれか１つを代表して照明器具２ともいう。なお、本開示において、「ＳＮＳ」とはソーシャルネットワーキングサービスのことである。
【００２１】
照明器具２は、景観演出用の照明器具であり、照明制御装置１からの照明制御信号に従って照明対象物３を照射する。照明対象物３は、例えば、タワー、ビル、城、壁面、スタジアム等の建造物であってもよいし、雲、霧、靄、降雨、降雪、海面、湖面、川面、滝、断崖、樹木、水田等の自然物であってもよい。そして、照明器具２は、照明対象物３を単色又は複数色で静的又は動的な態様で照射することができる。本実施形態の例示では、照明器具２は、照明対象物３としてタワーＡをライトアップするものとする。
【００２２】
ＳＮＳサーバ５は、インターネット４上でＳＮＳサイトを展開する不特定多数の汎用サーバであればよい。本開示におけるＳＮＳサイトは、Ｔｗｉｔｔｅｒ、Ｆａｃｅｂｏｏｋ、Ｇｏｏｇｌｅ＋、ｍｉｘｉ等の一般的な既存のＳＮＳを利用するものである。
【００２３】
ユーザ端末６は、不特定多数のＳＮＳユーザが所有する端末であり、インターネット４に無線（４Ｇ等）又は有線で接続可能なスマートフォン、タブレット、パソコン等の汎用の情報通信端末である。すなわち、各ユーザ端末６は、各種ＳＮＳサイトにアクセスして、所望のＳＮＳサイトにメッセージ（テキスト及び画像の一方又は双方）を投稿することができる。管理者端末７は、タワーＡの施設管理者が所有する端末であり、インターネット４に無線（４Ｇ等）又は有線で接続可能なスマートフォン、タブレット、パソコン等の汎用の情報通信端末である。
【００２４】
照明制御装置１は通信部１０、ＣＰＵ２０、信号出力部３０及び記憶部４０を備え、ＣＰＵ２０は投稿取得部２１、照明決定部２２及びモード切換部２３を備える。通信部１０、ＣＰＵ２０内の各部、信号出力部３０及び記憶部４０は、バスを介して相互にデータ及び信号をやり取りできる態様で接続されるものとする。通信部１０は、インターネット４に接続され、インターネット４上でＳＮＳサーバ５とデータ及び情報を送受信することができる。なお、通信部１０とインターネット４との接続は有線であっても無線であってもよい。記憶部４０は、各種メモリで構成され、後述する照明パターンリスト等を記憶する。
【００２５】
投稿取得部２１は、多数のＳＮＳサイトにアップロードされた投稿から、タワーＡ（照明対象物３）に関連する投稿、すなわち、「タワーＡ」というワード又はタワーＡの通称若しくは略称のワードをメッセージに含む投稿を検索及び取得する。このように、検索及び取得すべき投稿を「処理対象投稿」というものとする。例えば、「青く光れ、タワーＡ」、「桜がきれい。＃タワーＡ」（＃はハッシュタグ）等というテキストが処理対象投稿となり、投稿取得部２１はこのような処理対象投稿を検索及び取得する。なお、投稿取得部２１は、ハッシュタグによってタワーＡ（照明対象物３）が指定される投稿のみを処理対象投稿とするようにしてもよい。
【００２６】
照明決定部２２は、投稿取得部２１によって取得された処理対象投稿に基づいて照明パターンを決定する。照明決定部２２は、処理対象投稿のメッセージに含まれるテキストに基づいて照明パターンを決定することもできるし、処理対象投稿のメッセージに含まれる画像に基づいて照明パターンを決定することもできる。
【００２７】
照明決定部２２は、メッセージに含まれるテキストに基づいて照明パターンを決定する場合には、記憶部４０に記憶された照明パターンリストを参照する。照明パターンリストにおいては、複数のキーワードと複数の照明パターンとが対応付けられており、例えば、キーワード「青」、「藍」、「ブルー」、「ｂｌｕｅ」等に対しては青の発光色を用いた照明パターンが対応付けられ、キーワード「赤」、「紅」、「レッド」、「ｒｅｄ」等に対しては赤の発光色を用いた照明パターンが対応付けられる。また、色を直接に示すキーワード以外でも、動植物、飲食物、概念、気象、スポーツチーム、キャラクター等に関連するキーワードとそのワードから想起され得る発光色、模様、動作等を用いた照明パターンとが対応付けられる。例えば、キーワード「森林」に対しては緑色の照明パターン、キーワード「好き」に対してはピンク色のハート形を模した照明パターン、キーワード「ビール」に対しては下部が黄色で上部が白色の模様が徐々に下方に移動していく動的な照明パターン、キーワード「台風」に対しては任意色が照射中心に関して回転する動的な照明パターン等が挙げられる。
【００２８】
例えば、投稿取得部２１が、「青く光れ、タワーＡ」といったテキストを含む投稿メッセージを検索及び取得したとする。この場合、照明決定部２２は、メッセージ中の「青」を識別し、記憶部４０の照明パターンリスト中のキーワード「青」を参照し、それに対応する照明パターン（例えば、青い発光色でライトアップを行うための照明パターン）を採用する。
【００２９】
なお、１つのテキストが複数のキーワードを含む場合には、テキスト中に先に登場したキーワードに対応する照明パターンが適用されるようにしてもよいし、該当する複数のキーワードに対応する複数の照明パターンが輪番で、又はランダムに適用されるようにしてもよい。
【００３０】
このように、投稿メッセージに含まれるテキストにキーワードが含まれている場合にキーワードに対応する照明パターンが採用される。したがって、ＳＮＳユーザは、投稿テキストによる直接的な色彩表現によって容易かつ具体的に照明パターンを指示してライトアップを楽しむこともできるし、投稿テキストによる間接的な示唆によって容易かつ感覚的に照明パターンを具体化又は抽象化してライトアップを楽しむこともできる。
【００３１】
また、照明決定部２２は、メッセージに含まれるいずれのワードも照明パターンリスト内のキーワードに該当しない場合には、デフォルト設定の照明パターン又は所定の規則に従った未対応照明パターンを決定する。未対応照明パターンとは、例えば、投稿メッセージの先頭の文字の五十音に基づいて特定されるような照明パターンであってもよい。例えば、投稿メッセージの先頭文字が「あ」の場合には青色の照明パターンが決定され、先頭文字が「い」の場合には赤色の照明パターンが決定され、先頭文字が「う」の場合には緑色の照明パターンが決定される等が考えられる。あるいは、未対応照明パターンは、メッセージの文字数に基づいて特定される照明パターンであってもよいし、投稿時刻（すなわち、時、分又は秒の部分の数字）に基づいて特定される照明パターンであってもよい。これにより、照明制御装置１は、色又は模様の概念に関して解釈が困難なメッセージに対しても何らかの反応を示すことができる。
【００３２】
また、照明決定部２２は、メッセージに含まれる画像に基づいて照明パターンを決定する場合には、画像中に含まれる画素の色度に基づいて照明パターンを決定する。例えば、照明決定部２２は、画像を解析して最も支配的な色度を特定し、その支配的な色度を照明パターンによって再現することができる。例えば、投稿取得部２１が、（前出の「桜がきれい。＃タワーＡ」のテキストとともに）夜桜の写真を含む投稿メッセージを取得したとする。この場合、照明決定部２２は、メッセージ中の夜桜の画像の色度に基づいてタワーＡをピンク色の光でライトアップするための照明パターンを決定する。また、照明決定部２２は、画像中の色度の分布を再現するように照明パターンを決定するようにしてもよい。例えば、画像が朝焼けの写真である場合、下部のオレンジから上部の青色にかけてグラデーションとなる照明パターンが再現される。
【００３３】
このように、処理対象投稿に含まれる画像の色度に基づいて照明パターンが決定されるので、ＳＮＳユーザは、投稿写真、イラスト等によって容易かつ直感的に照明パターンを指示してライトアップを楽しむことができる。
【００３４】
なお、処理対象投稿のメッセージにテキスト及び画像の双方が含まれる場合には、画像に基づく照明パターンが優先的に適用されるようにしてもよいし、テキストにキーワードが含まれる場合にはそのテキストに基づく照明パターンが優先的に適用されるようにしてもよい。
【００３５】
モード切換部２３は、施設管理者（タワーＡの管理者）による指示又はスケジューリング設定に基づいて、上述したように照明決定部２２に投稿に基づいて照明パターンを決定させる投稿指向モードと、照明決定部２２にデフォルト設定の照明パターンを採用させる内部設定モードとを切り換える。施設管理者が管理者端末７を介してＳＮＳの機能を用いて各モードを選択するようにしてもよいし、施設管理者が照明制御装置１の操作部（不図示）を操作して各モードを選択するようにしてもよい。なお、照明対象物３によっては内部設定モードが不要な場合があり、すなわち、常に投稿指向モードが適用されてもよい。
【００３６】
信号出力部３０は、照明決定部２２によって決定された照明パターンに基づいて照明制御信号を生成し、これを各照明器具２に送信する。この照明制御信号は、例えばＤＭＸ５１２又はＤＡＬＩ（Digital Addressable Lighting Interface）のような一般的な通信プロトコルに準拠する照明制御信号であることが好ましい。また、照明制御信号は、ＰＷＭ信号として送信され得る。これにより、ＤＭＸ５１２、ＤＡＬＩ等を利用する既存の照明器具２に対して本実施形態の照明制御装置１を適用することができ、照明制御装置１の導入容易性が高まる。
【００３７】
図２Ａは、本実施形態の照明制御装置１の動作を示すフローチャートである。
ステップＳ１００において、モード切換部２３は、投稿指向モードが指示されているか否かを判定する。ステップＳ１００において投稿指向モードが指示されていない場合、すなわち、内部設定モードが指示されている場合（ステップＳ１００、Ｎｏ）、ステップＳ１０１において内部設定モードが適用され、照明決定部２２がデフォルト設定の照明パターンを決定し、信号出力部３０がデフォルト設定の照明パターンのための照明制御信号を照明器具２に送信する。ステップＳ１００において投稿指向モードが指示されている場合（ステップＳ１００、Ｙｅｓ）、ステップＳ１０５以降において投稿指向モードが適用される。
【００３８】
ステップＳ１０５において、投稿取得部２１が、メッセージに「タワーＡ」等を含む処理対象投稿が検索されたか否かを判定する。処理対象投稿が検索された場合（ステップＳ１０５、Ｙｅｓ）、投稿取得部２１はその処理対象投稿を取得し、処理はステップＳ１１１に進む。それ以外の場合（ステップＳ１０５、Ｎｏ）、処理はステップＳ１００に戻る。
【００３９】
ステップＳ１１１において、照明決定部２２が、取得された処理対象投稿が画像を含むか否かを判定する。処理対象投稿が画像を含む場合（ステップＳ１１１、Ｙｅｓ）、ステップＳ１１２において、照明決定部２２が、画像の色度に基づいて照明パターンを決定する。処理対象投稿が画像を含まない場合（ステップＳ１１１、Ｎｏ）、処理はステップＳ１１３に進む。
【００４０】
ステップＳ１１３において、照明決定部２２は、メッセージ中のテキストが照明パターンリストのいずれかのキーワードを含むか否かを判定する。テキストがキーワードを含む場合（ステップＳ１１３、Ｙｅｓ）、ステップＳ１１４において、照明決定部２２が当該キーワードに対応する照明パターンを決定する。テキストがキーワードを含まない場合（ステップＳ１１４、Ｎｏ）、ステップＳ１１５において、照明決定部２２は未対応照明パターンを決定する。ステップＳ１１２、Ｓ１１４及びＳ１１５の後、処理はステップＳ１２０に進む。以降の説明において、照明パターン決定のためのステップＳ１１１〜Ｓ１１５をまとめてステップ群Ｓ１１０という。
【００４１】
ステップＳ１２０において、信号出力部３０が、ステップ群Ｓ１１０において決定された照明パターンを実行するための照明制御信号を照明器具２に送信する。その後、処理はステップＳ１００に戻る。言い換えると、ステップＳ１００において投稿指向モードが内部設定モードに切り換えられるまで、又はステップＳ１０５において次の処理対象投稿が検索されるまで、直近のステップ群Ｓ１１０で決定された照明パターンが実行される。
【００４２】
ステップ群Ｓ１１０の内部については、例えば、図２Ｂに示すように、順序の変更が可能である。この場合、ステップＳ１０５の後に、ステップＳ１１３において、照明決定部２２が、メッセージ中のテキストが照明パターンリスト中のいずれかのキーワードを含むか否かを判定する。テキストがキーワードを含む場合（ステップＳ１１３、Ｙｅｓ）、ステップＳ１１４において、照明決定部２２は当該キーワードに対応する照明パターンを決定する。テキストがキーワードを含まない場合（ステップＳ１１３、Ｎｏ）、ステップＳ１１１において、照明決定部２２は、処理対象投稿に画像が含まれるか否かを判定する。処理対象投稿が画像を含む場合（ステップＳ１１１、Ｙｅｓ）、ステップＳ１１２において、照明決定部２２は、画像の色度に基づいて照明パターンを決定する。処理対象投稿が画像を含まない場合（ステップＳ１１１、Ｎｏ）、ステップＳ１１５において、照明決定部２２は未対応照明パターンを決定する。
【００４３】
以上のように、本開示による照明制御装置１は、インターネット４に接続して所定のＳＮＳサイトにアクセス可能な通信部１０と、ＳＮＳサイトにアップロードされた投稿のうち所定条件の投稿を処理対象投稿として検索及び取得する投稿取得部２１と、取得された処理対象投稿に含まれるテキスト又は画像に基づいて照明パターンを決定する照明決定部２２と、照明決定部２２によって決定された照明パターンを景観照明用の照明器具２に実行させるための照明制御信号を照明器具２に出力する信号出力部３０とを備える。
【００４４】
すなわち、投稿取得部２１がＳＮＳサイトから処理対象投稿を取得し、照明決定部２２が処理対象投稿のテキスト又は画像に基づいて照明対象物３（タワーＡ）に対する照明パターンを決定する。このように、専用のセンサ又はアプリを要することなく、一般的に普及しているＳＮＳでの投稿に基づいて照明パターンが決定されるので、ユーザはＳＮＳを介して手軽に照明制御に参加して夜間景観演出、すなわち、タワーＡのライトアップを楽しむことができる。また、照明対象物３の施設管理者においても、専用のアプリ、ＧＵＩ等の導入が不要である。したがって、景観演出用の照明制御に関して、ユーザが手軽に楽しむことができかつ導入容易な照明制御装置１が実現される。
【００４５】
特に、本実施形態では、投稿取得部２１が、照明対象物３に関連するワードを含む投稿を処理対象投稿として検索及び取得するように構成される。これにより、その照明対象物３に関心のある多数のＳＮＳユーザが容易に照明対象物３の夜間景観演出（すなわち、タワーＡのライトアップ）を楽しむことができる。
【００４６】
＜第２の実施形態＞
上記第１の実施形態では、ＳＮＳユーザ全般に照明パターンの制御権限が与えられ得る構成を示したが、本実施形態では、特定のＳＮＳユーザに照明パターンの決定権、すなわち制御権限が与えられる構成（時間レンタルモード）を示す。
【００４７】
図３に、本実施形態の照明制御装置１のブロック図を示す。本実施形態において、第１の実施形態と同様の構成には同じ符号を付し、重複する説明を省略する。本実施形態では、ＣＰＵ２０は、投稿取得部２１、照明決定部２２、モード切換部２３及びアカウント情報取得部２４を備える。
【００４８】
本実施形態では、タワーＡ（施設管理者）の公式アカウントのＳＮＳサイトが利用される。事前の取決めにより施設管理者（公式アカウント）から特定のＳＮＳユーザ（特定アカウント）に照明パターンの制御権限が付与されるものとする。この場合には、ＳＮＳユーザは事前に公式アカウントに対してフォローリクエストを送信し、公式アカウントがこのフォローリクエストを承認して相互フォローの状態となっている必要がある。上記制御権限とは、例えば、所定の時間帯に所定の料金にて自由に照明パターンを変更できる権限である。なお、制御権限を有するユーザのプライベート感を確保するために、１つの時間帯に対して１つの特定アカウントが設定されることが望ましい。施設管理者は、ＳＮＳの機能を用いて、予め特定アカウントを照明制御装置１の記憶部４０又は関連するＳＮＳサーバ５に記憶させる。
【００４９】
モード切換部２３は、施設管理者の指示に基づいて、上述のように特定アカウントのユーザに所定期間だけ照明パターンの制御権限を付与する時間レンタルモードと、その他のモード（内部設定モード等）とを切り換える。なお、時間レンタルモードは、投稿指向モードの一種である。施設管理者が管理者端末７を介してＳＮＳの機能を用いてモードを選択又はスケジューリングするようにしてもよいし、施設管理者が照明制御装置１の操作部（不図示）を操作してモードを選択又はスケジューリングするようにしてもよい。
【００５０】
時間レンタルモードが適用されると、アカウント情報取得部２４は、記憶部４０又はＳＮＳサーバ５に記憶されている特定アカウントの情報を取得する。投稿取得部２１は、いずれかのＳＮＳサイトにアップロードされた投稿のうち、アカウント情報取得部２４によって取得された特定アカウントの投稿のみを処理対象投稿として検索及び取得する。すなわち、特定アカウントのＳＮＳユーザは、上記取決めによって決められた時間帯にタワーＡのライトアップを投稿によって自由に変えることができる。
【００５１】
図４は、本実施形態の照明制御装置１の動作を示すフローチャートである。
ステップＳ２００において、モード切換部２３は、時間レンタルモードが適用されているか否かを判定する。時間レンタルモードが適用されている場合（ステップＳ２００、Ｙｅｓ）、処理はステップＳ２０５に進む。それ以外の場合には、ステップＳ２０１において、それぞれのモードを実行するための処理が行われる。
【００５２】
ステップＳ２０５において、アカウント情報取得部２４が特定アカウントの情報を取得する。
ステップＳ２０６において、投稿取得部２１は、特定アカウントの投稿が検索されたか否かを判定する。特定アカウントの投稿が検索された場合（ステップＳ２０６、Ｙｅｓ）、投稿取得部２１はその投稿を処理対象投稿として取得し、処理はステップ群Ｓ１１０に進む。特定アカウントの投稿が検索されない場合（ステップＳ２０６、Ｎｏ）、処理はステップＳ２３０に進む。
【００５３】
ステップ群Ｓ１１０及びステップＳ１２０は、第１の実施形態において説明した処理（図２Ａ又は図２Ｂ参照）と同様である。したがって、投稿メッセージの画像に基づく照明パターン（ステップＳ１１２）、投稿メッセージのテキストに含まれるキーワードに基づく照明パターン（ステップＳ１１４）又は未対応照明パターン（ステップＳ１１５）がステップＳ１２０において実行され、処理はステップＳ２３０に進む。
【００５４】
ステップＳ２３０において、ＣＰＵ２０はレンタル時間が経過したか否かを判別する。レンタル時間が経過した場合、すなわち、時間切れの場合（ステップＳ２３０、Ｙｅｓ）、処理はステップＳ２００に戻る。残り時間がある場合（ステップＳ２３０、Ｎｏ）、処理はステップＳ２０６に戻る。すなわち、特定アカウントからの新たな投稿があるまで、直近のステップ群Ｓ１１０において決定された照明パターンが実行される。
【００５５】
以上のように、本実施形態の照明制御装置１では、予め設定された特定アカウントの情報を取得するアカウント情報取得部２４が設けられ、投稿取得部２１は、取得された特定アカウントの投稿のみを処理対象投稿として検索及び取得する。これにより、プライベート感のある夜間景観演出（ライトアップ）を提供することができ、エンターテインメント性が拡張される。また、本実施形態又は他の実施形態において、照明対象物３の施設管理者の公式アカウントのＳＮＳサイトが利用される場合には、当該ＳＮＳサイトのフォロワーが増加し、照明対象物３に関する情報発信の機会が拡大される。
【００５６】
＜第３の実施形態＞
上記第１の実施形態では、ＳＮＳユーザ全般に照明パターンの制御権限が与えられ得る構成を示したが、本実施形態では、特定地域のＳＮＳユーザに照明パターンの制御権限が与えられる構成（地域限定モード）を示す。
【００５７】
この特定地域については、大別して２つの状況が想定されている。１つは上記第１の実施形態で説明したようなランドマーク的なタワーＡ等を眺望可能な比較的広域の地域が特定地域となる場合であり、他方はイベント会場等の演出セットを視認可能な比較的ローカルな地域が特定地域となる場合である。本実施形態はいずれの状況にも適用可能である。なお、本開示において、地域又は区域を地理的範囲ともいう。
【００５８】
図５に、本実施形態の照明制御装置１のブロック図を示す。本実施形態において、第１の実施形態と同様の構成には同じ符号を付し、重複する説明を省略する。本実施形態では、ＣＰＵ２０は、投稿取得部２１、照明決定部２２、モード切換部２３及び区域情報取得部２５を備える。
【００５９】
まず、施設管理者は、特定区域の設定情報を照明制御装置１の記憶部４０又は関連するＳＮＳサーバ５に記憶させる。あるいは、予め特定区域の設定情報が記憶部４０又は関連するＳＮＳサーバ５に記憶されていてもよい。特定区域とは、例えば、緯度及び経度によって規定される地理的範囲であってもよいし、中心地点からの半径によって規定される地理的範囲であってもよいし、これらの論理和又は論理積によって規定される地理的範囲であってもよい。なお、中心地点は、照明対象物３が位置する地点であってもよいし、その他の緯度及び経度で規定される地点であってもよい。そして、ＳＮＳユーザは、ユーザ端末６の現在位置を示すＧＰＳ情報を投稿に含めることができる。
【００６０】
モード切換部２３は、施設管理者による指示又はスケジューリング設定に基づいて、上述のように特定区域に存在するＳＮＳユーザに制御権限を付与する地域限定モードと、その他のモード（内部設定モード、時間レンタルモード等）とを切り換える。なお、地域限定モードは、投稿指向モードの一種である。
【００６１】
地域限定モードが適用されると、区域情報取得部２５は、記憶部４０又はＳＮＳサーバ５に記憶されている特定区域の情報を取得する。投稿取得部２１は、いずれかのＳＮＳサイトにアップロードされた投稿のうち、区域情報取得部２５によって取得された特定区域に含まれる位置を示すＧＰＳ情報を有する投稿を、処理対象投稿として検索及び取得する。すなわち、特定区域内に存在するＳＮＳユーザ（タワーＡの眺望者又はイベント参加者）は、タワーＡ又はイベント会場のライトアップを投稿によって自由に変えることができる。
【００６２】
図６は、本実施形態の照明制御装置１の動作を示すフローチャートである。
ステップＳ３００において、モード切換部２３が、地域限定モードが適用されているか否かを判定する。地域限定モードが適用されている場合（ステップＳ３００、Ｙｅｓ）、処理はステップＳ３０５に進む。それ以外の場合には、ステップＳ３０１において、それぞれのモードを実行するための処理が行われる。
【００６３】
ステップＳ３０５において、区域情報取得部２５が特定区域の情報を取得する。
ステップＳ３０６において、投稿取得部２１が、特定区域内の位置を示すＧＰＳ情報を有する投稿が検索されたか否かを判定する。特定区域内からの投稿が検索された場合（ステップＳ３０６、Ｙｅｓ）、投稿取得部２１がその投稿を処理対象投稿として取得し、処理はステップ群Ｓ１１０に進む。それ以外の場合（ステップＳ３０６、Ｎｏ）、処理はステップＳ３３０に進む。
【００６４】
ステップ群Ｓ１１０及びステップＳ１２０は、第１の実施形態において説明した処理（図２Ａ又は図２Ｂ）と同様である。したがって、投稿メッセージの画像に基づく照明パターン（ステップＳ１１２）、投稿メッセージのテキストに基づく照明パターン（ステップＳ１１４）又は未対応照明パターン（ステップＳ１１５）がステップＳ１２０において実行され、処理はステップＳ３３０に進む。
【００６５】
ステップＳ３３０において、モード切換部２３は、地域限定モードが終了したか否かを判定する。地域限定モードが終了した場合（ステップＳ３３０、Ｙｅｓ）、処理はステップＳ３００に戻る。地域限定モードが終了していない場合（ステップＳ３３０、Ｎｏ）、処理はステップＳ３０６に戻る。すなわち、特定区域内からの新たな投稿があるまで、直近のステップ群Ｓ１１０において決定された照明パターンが実行される。
【００６６】
以上のように、本実施形態の照明制御装置１では、予め設定された地理的範囲からなる特定区域の情報を取得する区域情報取得部２５が設けられ、投稿取得部２１は、取得された特定区域内の位置を示すＧＰＳ情報を有する投稿を処理対象投稿として検索及び取得する。したがって、処理対象投稿が地理的範囲に従って制限され、より効率的な投稿処理が可能となる。また、投稿可能なＳＮＳユーザの地理的範囲を照明対象物３の付近に制限することによって、その場の雰囲気をより的確に表現するライトアップが実現される。
【００６７】
＜第４の実施形態＞
上記第１の実施形態では、ＳＮＳユーザ全般に照明パターンの制御権限が与えられ得る構成を示したが、本実施形態では、施設管理者が提供するクイズに正答したＳＮＳユーザに照明パターンの制御権限が与えられる構成（クイズ方式モード）を示す。
【００６８】
図７に、本実施形態の照明制御装置１のブロック図を示す。本実施形態において、第１の実施形態と同様の構成には同じ符号を付し、重複する説明を省略する。本実施形態では、ＣＰＵ２０は、投稿取得部２１、照明決定部２２、モード切換部２３及び正解ワード取得部２６を備える。
【００６９】
本実施形態では、施設管理者の公式アカウントのＳＮＳサイト又は公式ウェブサイトにおいてクイズが出題される。このクイズは、例えば、択一方式（２択、３択、４択等）であってもよいし、所定の単語又は数値を回答させるものであってもよい。施設管理者は、ＳＮＳの機能を用いて、予めクイズに対する正解ワードを照明制御装置１の記憶部４０又は関連するＳＮＳサーバ５に記憶させておく。そして、ＳＮＳユーザは、クイズの回答とともに色の指定等を記載したメッセージを投稿する。ここで、色の指定は、テキストによるものであってもよいし、画像によるものであってもよい。
【００７０】
モード切換部２３は、施設管理者の指示に基づいて、上述のようにクイズの正答ユーザのみに照明パターンの制御権限を付与するクイズ方式モードと、その他のモード（時間レンタルモード、地域限定モード、内部設定モード等）とを切り換える。なお、クイズ方式モードは、投稿指向モードの一種である。
【００７１】
クイズ方式モードが適用されると、正解ワード取得部２６は、記憶部４０又はＳＮＳサーバ５に記憶されている正解ワードを取得する。投稿取得部２１は、上記公式アカウントのＳＮＳサイトにアップロードされた投稿のうち、正解ワード取得部２６によって取得された正解ワードを有する投稿のみを処理対象投稿として検索及び取得する。すなわち、正解ワードとともにテキスト又は画像を投稿したＳＮＳユーザは、タワーＡのライトアップを、その正解ワードとともに投稿したテキスト又は画像によって自由に変えることができる。
【００７２】
図８は、本実施形態の照明制御装置１の動作を示すフローチャートである。
ステップＳ４００において、モード切換部２３が、クイズ方式モードが適用されているか否かを判定する。クイズ方式モードが適用されている場合（ステップＳ４００、Ｙｅｓ）、処理はステップＳ４０５に進む。それ以外の場合には、ステップＳ４０１において、それぞれのモードを実行するための処理が行われる。
【００７３】
ステップＳ４０５において、正解ワード取得部２６が正解ワードを取得する。
ステップＳ４０６において、投稿取得部２１が、正解ワードを含む投稿が検索されたか否かを判定する。正解ワードを含む投稿が検索された場合（ステップＳ４０６、Ｙｅｓ）、投稿取得部２１はその投稿を処理対象投稿として取得し、処理はステップ群Ｓ１１０に進む。それ以外の場合（ステップＳ４０６、Ｎｏ）、処理はステップＳ４３０に進む。
【００７４】
ステップ群Ｓ１１０及びステップＳ１２０は、第１の実施形態において説明した処理（図２Ａ又は図２Ｂ参照）と同様である。したがって、正答付きメッセージに含まれる画像に基づく照明パターン（ステップＳ１１２）、正答付きメッセージに含まれるテキストに基づく照明パターン（ステップＳ１１４）又は未対応照明パターン（ステップＳ１１５）がステップＳ１２０で実行され、処理はステップＳ４３０に進む。
【００７５】
ステップＳ４３０において、モード切換部２３は、クイズ方式モードが終了したか否かを判定する。クイズ方式モードが終了した場合（ステップＳ４３０、Ｙｅｓ）、処理はステップＳ４００に戻る。クイズ方式モードが終了していない場合（ステップＳ４３０、Ｎｏ）、処理はステップＳ４０６に戻る。すなわち、正答ユーザからの新たな投稿があるまで、直近のステップ群Ｓ１１０において決定された照明パターンが実行される。
【００７６】
以上のように、本実施形態では、予め設定された正解ワードを取得する正解ワード取得部２６が設けられ、投稿取得部２１は、取得された正解ワードをメッセージに含む投稿を処理対象投稿として検索及び取得する。これにより、クイズ等を利用して処理対象投稿を正答ユーザからの投稿に制限することができ、エンターテインメント性を高めつつも効率的な投稿処理が可能となる。
【００７７】
＜第５の実施形態＞
上記第１の実施形態では、ＳＮＳユーザ全般に照明パターンの制御権限が与えられ得る構成を示したが、本実施形態では、施設管理者が提供する複数の選択肢のうち最多の同意数（例えば、「いいね」の獲得数）の選択肢に同意したＳＮＳユーザに照明パターンの制御権限が与えられる構成（コンテストモード）を示す。
【００７８】
図９に、本実施形態の照明制御装置１のブロック図を示す。本実施形態において、第１の実施形態と同様の構成には同じ符号を付し、重複する説明を省略する。本実施形態では、ＣＰＵ２０は、投稿取得部２１、照明決定部２２、モード切換部２３及び制御ユーザ特定部２７を備える。
【００７９】
本実施形態では、施設管理者の公式アカウントのＳＮＳサイト又は公式ウェブサイトにおいて、例えばコンテストが行われる。コンテストは、例えば、川柳、標語等の品評に関する投票、各種人気投票といったような複数の選択肢の中から最多同意を競うものであればどのようなものであってもよい。施設管理者は上記サイトにおいて複数の投票選択肢を提示し、ＳＮＳユーザは気に入った選択肢に対して同意する（例えば、「いいね」（Ｆｅｃｅｂｏｏｋ又はＴｗｉｔｔｅｒの場合）、「＋１」（Ｇｏｏｇｌｅ＋の場合）、「イイネ！」（ｍｉｘｉの場合）等をタッチする）。
【００８０】
モード切換部２３は、施設管理者の指示又はスケジューリング設定に基づいて、上述のように最多得票に寄与したＳＮＳユーザに照明パターンの制御権限を付与するコンテストモードと、その他のモード（時間レンタルモード、地域限定モード、クイズ方式モード、内部設定モード等）とを切り換える。なお、コンテストモードは、投稿指向モードの一種である。
【００８１】
コンテストモードが適用されると、制御ユーザ特定部２７は、コンテストに対する同意投票の締め切り時点において、上記サイト上に提示されたそれぞれの選択肢に対する同意数を取得し、最多得票選択肢に寄与したＳＮＳユーザのアカウント（以下、「寄与アカウント」という）を特定する。
【００８２】
投稿取得部２１は、いずれかのＳＮＳサイトにアップロードされた投稿のうち、寄与アカウントを有する投稿のみを処理対象投稿として検索及び取得する。すなわち、最多得票選択肢に寄与したＳＮＳユーザは、タワーＡのライトアップを、その後の投稿によるメッセージのテキスト又は画像によって自由に変えることができる。
【００８３】
図１０は、本実施形態の照明制御装置１の動作を示すフローチャートである。
ステップＳ５００において、モード切換部２３が、コンテストモードが適用されているか否かを判定する。コンテストモードが適用されている場合（ステップＳ５００、Ｙｅｓ）、処理はステップＳ５０５に進む。それ以外の場合には、ステップＳ５０１において、それぞれのモードを実行するための処理が行われる。
【００８４】
ステップＳ５０５において、制御ユーザ特定部２７が、コンテストの投票終了時における各選択肢に対する同意数を取得し、最多得票数に寄与した寄与アカウントを特定する。
【００８５】
ステップＳ５０６において、投稿取得部２１が、寄与アカウントからの投稿が検索されたか否かを判定する。寄与アカウントからの投稿が検索された場合（ステップＳ５０６、Ｙｅｓ）、投稿取得部２１はその投稿を処理対象投稿として取得し、処理はステップ群Ｓ１１０に進む。それ以外の場合（ステップＳ５０６、Ｎｏ）、処理はステップＳ５３０に進む。
【００８６】
ステップ群Ｓ１１０は、第１の実施形態において説明した処理（図２Ａ又は図２Ｂ参照）と同様である。したがって、投稿メッセージの画像に基づく照明パターン（ステップＳ１１２）、投稿メッセージのテキストに基づく照明パターン（ステップＳ１１４）又は未対応照明パターン（ステップＳ１１５）がステップＳ１２０において実行され、処理はステップＳ５３０に進む。
【００８７】
ステップＳ５３０において、モード切換部２３は、コンテストモードが終了したか否かを判定する。コンテストモードが終了した場合（ステップＳ５３０、Ｙｅｓ）、処理はステップＳ５００に戻る。コンテストモードが終了していない場合（ステップＳ５３０、Ｎｏ）、処理はステップＳ５０６に戻る。すなわち、寄与アカウントからの新たな投稿があるまで、直近のステップ群Ｓ１１０において決定された照明パターンが実行される。
【００８８】
以上のように、本実施形態の照明制御装置１では、ＳＮＳサイト上に提示された複数の選択肢の各々に対する同意数を取得し、複数の選択肢のうちの最多の同意数を獲得した選択肢に同意したＳＮＳユーザを制御ユーザとして特定する制御ユーザ特定部２７が設けられ、投稿取得部２１は制御ユーザからの投稿のみを処理対象投稿として検索及び取得するように構成される。これにより、処理対象投稿が寄与アカウントからの投稿に制限され、エンターテインメント性を高めつつも効率的な投稿処理が可能となる。
【００８９】
＜第６の実施形態＞
上記第１から第５の実施形態では、所定条件下で検索及び取得された投稿に基づいて照明パターンが決定される構成を示したが、本実施形態では、無作為に検索される投稿において最も多く出現する最多検索ワードに基づいて照明パターンが決定される構成（話題指向モード）を示す。
【００９０】
図１１に、本実施形態の照明制御装置１のブロック図を示す。本実施形態において、第１の実施形態と同様の構成には同じ符号を付し、重複する説明を省略する。本実施形態では、ＣＰＵ２０は、投稿取得部２１、照明決定部２２、モード切換部２３及び話題抽出部２８を備える。
【００９１】
モード切換部２３は、施設管理者の指示に基づいて、上述のように最多検索ワードに基づいて照明パターンを決定する話題指向モードと、その他のモード（投稿指向モード、内部設定モード等）とを切り換える。
【００９２】
話題指向モードが適用されると、投稿取得部２１は、多数のＳＮＳサイトから所定期間にわたって無作為に多数の投稿を取得する。そして、話題抽出部２８は、投稿取得部２１によって取得された投稿において最も出現数の多い最多検索ワードを特定する。なお、話題抽出部２８は、投稿取得部２１によって取得された投稿に基づいて最多検索ワードを特定するのではなく、インターネット４において既に公表されている最多検索ワードを取得及び特定するようにしてもよい。上記所定期間は、例えば直近の１日、１時間等である。
【００９３】
照明決定部２２は、話題抽出部２８によって特定された最多検索ワードに基づいて照明パターンを決定する。本実施形態でも、記憶部４０は、複数のキーワードと複数の照明パターンとを対応付けた照明パターンリストを記憶する。最多検索ワードが複数のキーワードのうちの少なくとも１つのキーワードを含む場合に、照明決定部２２は当該少なくとも１つのキーワードに対応する照明パターンを決定する。照明決定部２２は、例えば、最多検索ワードが「金メダル」であれば、黄色の発光色を用いた照明パターンを採用し、最多検索ワードが「紅葉」であれば、赤、オレンジ等の発光色を用いた照明パターンを採用する。
【００９４】
図１２は、本実施形態の照明制御装置１の動作を示すフローチャートである。
ステップＳ６００において、モード切換部２３が、話題指向モードが適用されているか否かを判定する。話題指向モードが適用されている場合（ステップＳ６００、Ｙｅｓ）、処理はステップＳ６０５に進む。それ以外の場合には、ステップＳ６０１において、それぞれのモードを実行するための処理が行われる。
【００９５】
ステップＳ６０５において、話題抽出部２８が、最多検索ワードを特定する。
ステップＳ６０６において、話題抽出部２８は、最多検索ワードが更新されたか否かを判定する。最多検索ワードが更新された場合（ステップＳ６０５、Ｙｅｓ）、処理はステップＳ６１０に進み、それ以外の場合には処理はステップＳ６００に戻る。
【００９６】
ステップＳ６１０において、照明決定部２２は、最多検索ワードが照明パターンリストのいずれかのキーワードを含むか否かを判定する。最多検索ワードがキーワードを含む場合（ステップＳ６１０、Ｙｅｓ）、ステップＳ６１１において、照明決定部２２が当該キーワードに対応する照明パターンを決定する。最多検索ワードがキーワードを含まない場合（ステップＳ６１０、Ｎｏ）、ステップＳ６１２において、照明決定部２２は未対応照明パターンを決定する。ステップＳ６１１及びＳ６１２の後、処理はステップＳ６２０に進む。
【００９７】
ステップＳ６２０において、信号出力部３０が、ステップＳ６１１又はＳ６１２において決定された照明パターンを実行するための照明制御信号を照明器具２に送信する。その後、処理はステップＳ６００に戻る。言い換えると、話題指向モードが適用されている間は、ステップＳ６０５において次の最多検索ワードが抽出又は更新されるまで、直近のステップＳ６１１及びＳ６１２で決定された照明パターンが実行される。
【００９８】
以上のように、本実施形態の照明制御装置１は、インターネット４に接続して所定のＳＮＳサイトにアクセス可能な通信部１０と、ＳＮＳサイト上で所定期間内に最も多く出現する最多検索ワードを抽出する話題抽出部２８と、最多検索ワードに基づいて照明パターンを決定する照明決定部２２と、照明決定部２２によって決定された照明パターンを景観照明用の照明器具２に実行させるための照明制御信号を照明器具２に出力する信号出力部３０とを備える。
【００９９】
上記構成によると、ＳＮＳ上の最多検索ワードに基づいて照明パターンが決定される。これにより、その時々で旬な話題が照明パターンに反映され、照明対象物３（タワーＡ）を眺望可能な勤務者、住民、通勤者、通行人等（ＳＮＳユーザであるか否かを問わず広義のユーザ）がその照明対象物３の景観演出を楽しむことができる。また、照明対象物３の施設管理者においては、専用のセンサ、アプリ、ＧＵＩ等の導入が不要である。したがって、景観演出用の照明制御に関して、種々のユーザが手軽に楽しむことができかつ導入容易な照明制御装置１が実現される。
【０１００】
＜プログラム等＞
なお、上述した各実施形態における照明制御装置１（ＣＰＵ２０）を実現する各構成要素及び処理の各ステップは、記憶部４０のＲＯＭ、ＲＡＭ等に記憶されたプログラムが動作することによって実現される。
【０１０１】
また、本発明は、上記各実施形態の機能を実現するソフトウェアのプログラム（図２Ａ、図２Ｂ、図４、図６、図８、図１０又は図１２に示すフローチャートに対応したプログラム）が、照明制御装置１（ＣＰＵ２０）に直接に、又は遠隔から供給される場合も含む。したがって、本発明の機能処理を実現するために、照明制御装置１（ＣＰＵ２０）にインストールされるプログラムコード自体も本発明に含まれる。すなわち、本発明には、本発明の機能処理を実現するためのコンピュータプログラムも含まれる。そのプログラムは、コンピュータを、投稿取得部２１、照明決定部２２、モード切換部２３、アカウント情報取得部２４、区域情報取得部２５、正解ワード取得部２６、制御ユーザ特定部２７及び話題抽出部２８の全部又は一部として機能させることができる。このように、本発明は、上記実施形態に示したような作用効果をソフトウェアの導入によって実現できるので、照明制御装置１の導入容易性を向上することができる。
【０１０２】
上記プログラムがインターネット４からダウンロードされるようにしてもよい。この場合、ブラウザ機能によってインターネット４のウェブサイトに接続された照明制御装置１に、そのウェブサイトから上記コンピュータプログラム又は圧縮され自動インストール機能を含むファイルがハードディスク等にダウンロードされる。
【０１０３】
上記プログラムを記憶したコンピュータ可読記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【０１０４】
＜変形例＞
以上に本発明の好適な実施形態を示したが、本発明は、例えば以下に示すように種々の態様に変形可能である。
【０１０５】
（１）照明器具２の個別制御に関する変形１
上記各実施形態では、照明器具２−１〜２−ｎの全体が制御される構成を示したが、各照明器具にアカウントが設定され、一部の照明器具が個別制御される構成も可能である。この場合、ＳＮＳユーザは、例えば、投稿メッセージに特定の照明器具２−ｋのアカウントを含めることによって、照明器具２−１〜２−ｎのうちの照明器具２−ｋを個別に制御することができる。
【０１０６】
（２）照明器具２の個別制御に関する変形２
上記第３の実施形態の応用として、投稿メッセージに付されたＧＰＳ情報と、個別制御される照明器具２のアカウントをリンクさせてもよい。例えば、ＧＰＳ情報が示す位置が照明対象物３の所定の方角にある場合に、照明対象物３の当該所定の方角を照明する照明器具２が投稿メッセージに基づいて個別制御される。より具体的には、照明対象物３が複数の壁面を有するビルであり、ＧＰＳ情報が示す位置がビルの西側にあるような場合には、ビルの西側にある照明器具２（すなわち、ビルの西側壁面を照明する照明器具２）が個別制御される。
【０１０７】
（３）照明器具２及び照明対象物３に関する変形
上記各実施形態では、ライトアップ等のように照明器具２が照明対象物３を照射する構成を示したが、上記各実施形態は、照明器具２が照明対象物３自体に取り付けられた自発光の構成にも適用可能である。この場合、多数の照明器具２が照明対象物３に分散配置される必要があるが、照明器具２の設置数の増加に応じて、より詳細かつ高解像度な照明パターンの再現が可能となる。
【０１０８】
（４）投稿採用ユーザへの通知に関する変形
ＣＰＵ２０は、投稿採用に係るユーザのユーザ端末６に対して、投稿が採用された旨を通信部１０及びインターネット４を介して通知するように構成されてもよい。この通知は、テキストによるものであってもよいし、記憶部４０に記憶されている照明対象物３の画像又はカメラによって撮影される照明対象物３の画像（静止画又は動画）を含むものであってもよい。
【符号の説明】
【０１０９】
１  照明制御装置
２、２−１〜２−ｎ  照明器具
３  照明対象物
４  インターネット
５  ＳＮＳサーバ
６  ユーザ端末
７  管理者端末
１０  通信部
２０  ＣＰＵ
２１  投稿取得部
２２  照明決定部
２３  モード取得部
２４  アカウント情報取得部
２５  区域情報取得部
２６  正解ワード取得部
２７  制御ユーザ特定部
２８  話題抽出部
３０  信号出力部
４０  記憶部
【図１】
2018049765.tif 000003
【図２Ａ】
2018049765.tif 000004
【図２Ｂ】
2018049765.tif 000005
【図３】
2018049765.tif 000006
【図４】
2018049765.tif 000007
【図５】
2018049765.tif 000008
【図６】
2018049765.tif 000009
【図７】
2018049765.tif 000010
【図８】
2018049765.tif 000011
【図９】
2018049765.tif 000012
【図１０】
2018049765.tif 000013
【図１１】
2018049765.tif 000014
【図１２】
2018049765.tif 000015